(57)【特許請求の範囲】
【請求項１】
本体とこの本体から突出するボリュームシャフトとを備えたボリュームと、前記ボリュームシャフトの先端に取り付けられる摘みと、前記ボリュームシャフトに挿入され、前記摘みと本体間に介設されたカラーと、このカラーを前記ボリュームシャフトに固定すると共に、当該カラーから外方に突出する固定部材と、前記ボリュームシャフトの回転に伴う前記固定部材の回転範囲内に設けられたストッパーとを備え、該ストッパーを、前記カラーに摺動可能に接触させたことを特徴とする可変抵抗装置。
【請求項２】
本体とこの本体から突出するボリュームシャフトとを備えたボリュームと、前記ボリュームシャフトに挿入された中継シャフトと、この中継シャフトの先端に取り付けられる摘みと、前記中継シャフトを前記ボリュームシャフトに固定すると共に、当該中継シャフトから外方に突出する固定部材と、前記中継シャフトの回転に伴う前記固定部材の回転範囲内に設けられたストッパーとを備え、該ストッパーを、前記中継シャフトに摺動可能に接触させたことを特徴とする可変抵抗装置。
【発明の詳細な説明】
【０００１】
【発明の属する技術分野】
本発明は、例えば自動製氷機などにおいて排出氷量を任意に調整する場合などに用いられる可変抵抗装置に関するものである。
【０００２】
【従来の技術】
従来この種ボリューム（可変抵抗器）は、例えば特開平４−１８６７０１号公報（Ｈ０１Ｃ１／０１）に示される如くケース壁面などの被取付面に取り付けられていた。図７を用いて例えば製氷機（卓上型チップアイスディスペンサー）における従来のボリューム取付構造を説明する。この場合のボリュームＶ（可変抵抗器）は、製氷機から排出される氷量を、顧客が任意に調整することができるようにするもので、可変抵抗及び内蔵ストッパー（図示せず）を有した本体Ｍと、この本体Ｍから突出する先端断面半月状のボリュームシャフトＳと、このボリュームシャフトＳ基部の本体Ｍに形成されたホルダー部Ｈとから成り、このホルダー部Ｈの周囲にネジ溝が切られている。
【０００３】
そして、製氷機の前パネル（被取付面）１００に形成された図示しない透孔に裏側からボリュームシャフトＳ及びホルダー部Ｈを通し、六角ナットＮをホルダー部Ｈに螺合させて前パネル１００表面と本体Ｍとを締め付け、ボリュームＶの本体Ｍを前パネル１００に固定する。その後、ボリュームシャフトＳの先端には摘みＴを嵌合して取り付ける構造とされていた。
【０００４】
【発明が解決しようとする課題】
ところで、係るボリュームＶは通常弱電機器に使用されるものが用いられており、軽負荷用に設計されているため、その機械的強度及び耐久性は比較的低い。特に、摘みＴを回転させるトルクは例えば僅か５０ｇ−ｃｍ程しか無く、簡単に回転してしまう。
【０００５】
一方で、この種製氷機に取り付けられる氷のみ／氷と水／水のみなどの切替スイッチは三段階切り替えで節度があるため（回転トルクは通常５ｋｇ−ｃｍ）、この切替スイッチを操作した顧客が同じ感覚で上記氷量調整用のボリュームＶの摘みＴを回すと、あまりに簡単に回転してしまうため、調整が却って困難となると共に、使用感も悪くなる。
【０００６】
また、過大な力で回されるために本体Ｍ内の内蔵ストッパーが破壊され、回転範囲（例えば、３００度の回転範囲で０〜２０Ｋオームに可変）外に設定されて氷が排出されなくなると共に、最悪の場合にはボリュームシャフトＳが引き抜かれてしまう危険性もあった。
【０００７】
本発明は、係る従来の技術的課題を解決するために成されたものであり、破損し難く、使用感も向上させた可変抵抗装置を提供することを目的とする。
【０００８】
【課題を解決するための手段】
請求項１の発明の可変抵抗装置は、本体とこの本体から突出するボリュームシャフトとを備えたボリュームと、ボリュームシャフトの先端に取り付けられる摘みと、ボリュームシャフトに挿入され、摘みと本体間に介設されたカラーと、このカラーをボリュームシャフトに固定すると共に、当該カラーから外方に突出する固定部材と、ボリュームシャフトの回転に伴う固定部材の回転範囲内に設けられたストッパーとを備え、ストッパーを、カラーに摺動可能に接触させたものである。
【０００９】
請求項１の発明によれば、本体から突出するボリュームシャフトにカラーを挿入すると共に、このカラーを固定する固定部材をカラーから外方に突出させ、その回転範囲内にはストッパーを設けたので、これら固定部材とストッパーの当接関係によってボリュームシャフトの回転範囲を規制することができる。従って、摘みが回され過ぎることによる本体の破壊などの不都合を有効に回避することが可能となり、耐久性を向上させることができるようになるものである。
【００１０】
特に、ストッパーを、カラーに摺動可能に接触させたので、これらストッパーとカラー間の摩擦抵抗によって摘みに適度な回転トルクを付与することが可能となる。それによって、摘みの回し過ぎによる故障を一層有効に防止することができるようになると共に、調整を容易とし、且つ、使用感も向上させることができるようになるものである。
【００１１】
請求項２の発明の可変抵抗装置は、本体とこの本体から突出するボリュームシャフトとを備えたボリュームと、ボリュームシャフトに挿入された中継シャフトと、この中継シャフトの先端に取り付けられる摘みと、中継シャフトをボリュームシャフトに固定すると共に、当該中継シャフトから外方に突出する固定部材と、中継シャフトの回転に伴う固定部材の回転範囲内に設けられたストッパーとを備え、ストッパーを、中継シャフトに摺動可能に接触させたものである。
【００１２】
請求項２の発明によれば、本体から突出するボリュームシャフトに中継シャフトを挿入すると共に、この中継シャフトを固定する固定部材を中継シャフトから外方に突出させ、その回転範囲内にはストッパーを設けたので、これら固定部材とストッパーの当接関係によってボリュームシャフトの回転範囲を規制することができる。従って、摘みが回され過ぎることによる本体の破壊などの不都合を有効に回避することが可能となり、耐久性を向上させることができるようになるものである。
【００１３】
特に、ストッパーを、中継シャフトに摺動可能に接触させたので、これらストッパーと中継シャフト間の摩擦抵抗によって摘みに適度な回転トルクを付与することが可能となる。それによって、摘みの回し過ぎによる故障を一層有効に防止することができるようになると共に、調整を容易とし、且つ、使用感も向上させることができるようになるものである。
【００１４】
【発明の実施の形態】
以下、図面に基づき本発明の実施形態を詳述する。図１は本発明を適用した実施例としての製氷機１（卓上型チップアイスディスペンサー）の斜視図、図２は本発明の可変抵抗装置２部分の斜視図、図３は図２のＡ−Ａ線断面図、図４は図２のＯ−Ｏ線断面図である。尚、各図中において図７と同一符号は同一のものとする。
【００１５】
実施例の製氷機１は、例えばレストランなどにおいて顧客に冷水をセルフサービスで提供する所謂卓上型チップアイスディスペンサーであり、その外装ケース３内にはオーガー式の自動製氷ユニットと冷水器が内蔵されている。外装ケース３の前面パネル３Ａ（被取付面）には、氷のみ／氷と水／水のみを切り替えるための切替スイッチの摘み４と、前記自動製氷ユニットから排出される氷量（貯氷庫のシャッター開放時間）を調整するための本発明の可変抵抗装置２の摘みＴが設けられている。
【００１６】
係る前面パネル３Ａの下方には給水・氷排出部６が設けられ、更にその下方に簀の子７が取り付けられている。そして、冷水（氷入り、或いは、氷なし）をカップＣに注入する際には、顧客がカップＣを給水・氷排出部６下方の簀の子７上に載置し、切替スイッチの摘み４を三段階で回して、氷のみを排出するか、氷と水を排出するか、水のみを排出するかを切り替える。そして、上記摘みＴを回して氷排出量を任意に調整するものである。
【００１７】
次に、本発明の可変抵抗装置２の取付構造を説明する。実施例の可変抵抗装置２は、可変抵抗及び内蔵ストッパー（図示せず）を有した本体Ｍ、この本体Ｍから突出する先端断面半月状のボリュームシャフトＳ、及び、このボリュームシャフトＳ基部の本体Ｍに形成されたホルダー部Ｈ（このホルダー部Ｈの周囲にネジ溝が切られている）とから成るボリューム（可変抵抗器）Ｖと、摘みＴと、カラー９と、固定部材としての固定ネジ１１と、ボリューム固定板８と、ストッパー１２とから成る。
【００１８】
前記ボリューム固定板８は略門型を呈しており、前方に吐出した両端前面に取付孔８Ａ、８Ａを有し、後退した中央部には図示しない透孔が穿設されている。そして、この透孔に後方からボリュームＶのボリュームシャフトＳ及びホルダー部Ｈを通し、六角ナットＮをホルダー部Ｈに螺合させてボリューム固定板８と本体Ｍとを締め付け、ボリュームＶの本体Ｍをボリューム固定板８に固定する。
【００１９】
一方、カラー９は金属円筒から成り、例えばボリュームシャフトＳの断面形状に合致した半月状或いは円形の貫通孔９Ａと、壁（半月状の場合には内面が平面となる壁）を貫通するネジ孔９Ｂとを備えている。そして、摘みＴを取り付ける以前に、この貫通孔９ＡにボリュームシャフトＳを挿通してカラー９を挿入した後、固定ネジ１１をネジ孔９Ｂに螺合し、ボリュームシャフトＳに付き当ててカラー９をボリュームシャフトＳに対して回転不能に固定する。尚、この状態で固定ネジ１１はカラー９より外方（カラー９の半径方向）に突出する。
【００２０】
他方、ストッパー１２はボリューム固定板８の前記透孔近傍にネジ止めされている。このストッパー１２は円柱状を呈しており、ボリュームシャフトＳと同方向に突出して、前記ボリュームシャフトＳの回転に伴う固定ネジ１１の回転範囲内に位置すると共に、その側面はカラー９の側面に摺動可能に接触せられている。これによって、ボリュームシャフトＳは図３の如く固定ネジ１１がストッパー１２の両面に当接する範囲内で回転可能となるが、その角度は前記内蔵ストッパーの回転範囲と同一或いは当該回転範囲内に設定する。
【００２１】
このように組み立てた後、ボリュームシャフトＳを前面パネル３Ａに形成した透孔３Ｂから前方に突出させた状態で、ボリューム固定板８の両端を前面パネル３Ａの裏面に当接させ、取付孔８Ａ、８Ａにネジを通して固定する。その後、ボリュームシャフトＳの先端には摘みＴを嵌合して取り付ける。このとき、カラー９は前面パネル３Ａと本体Ｍ間（即ち、本体Ｍと摘みＴとの間）に介設され、カラー９の前端面は前面パネル３Ａの裏面に摺動可能に接触する。
【００２２】
このように本発明では、本体Ｍから突出するボリュームシャフトＳにカラー９を挿入すると共に、このカラー９を固定する固定ネジ１１をカラー９から外方に突出させ、その回転範囲内にはストッパー１２を配置したので、これら固定ネジ１１とストッパー１２の当接関係によってボリュームシャフトＳの回転範囲を規制することができる。従って、摘みＴが回され過ぎることによる本体Ｍの破壊などの不都合を有効に回避することが可能となり、耐久性を向上させることができるようになる。
【００２３】
また、ストッパー１２はカラー９に摺動可能に接触しているので、これらストッパー１２とカラー９間の摩擦抵抗によって摘みＴには適度な回転トルクが付与される。それによって、摘みＴの回し過ぎによる故障を一層有効に防止することができるようになると共に、調整を容易とし、且つ、使用感も向上させることができるようになる。
【００２４】
更に、前面パネル３Ａにカラー９の端面が摺動可能に接触しているので、前面パネル３Ａとカラー９間の摩擦抵抗によっても摘みＴには同様の回転トルクが付与される。それによって、摘みＴの回し過ぎによる故障をより一層有効に防止し、調整操作性と使用感を向上させることができるようになると共に、ボリュームシャフトＳが引き抜かれる不都合も有効に防止することができるようになる。
【００２５】
尚、ボリュームＶのボリュームシャフトＳが短い場合に、カラー９を取り付けると摘みＴを取り付けられなくなる。その場合には、図５及び図６に示す如くカラー９の代わりに中継シャフト２１を用いる。
【００２６】
この中継シャフト２１は前記カラー９と同様の太さの円柱状の大径部２２と、この大径部２２の一端中央から突出した断面半月状の摘み取付部２３とから成り、大径部２２の他端中央に半月状の係合孔２２Ａを有し、更にその半径方向に壁（係合孔２２Ａの半月状の内面が平面となる壁）を貫通するネジ孔２２Ｂとを備えている。
【００２７】
そして、摘みＴを取り付ける以前に、係合孔２２ＡにボリュームシャフトＳの先端を挿入係合して中継シャフト２１を挿入した後、固定ネジ１１をネジ孔２２Ｂに螺合し、ボリュームシャフトＳに付き当てて中継シャフト２１をボリュームシャフトＳに対して回転不能に固定する。尚、この状態で固定ネジ１１は中継シャフト２１より外方（大径部２２の半径方向）に突出する。
【００２８】
尚、ストッパー１２は同様に中継シャフト２１の回転に伴う固定ネジ１１の回転範囲内に位置すると共に、その側面は大径部２２の側面に摺動可能に接触せられている。これによって、中継シャフト２１及びボリュームシャフトＳは図３と同様に固定ネジ１１がストッパー１２の両面に当接する範囲内で回転可能となるが、その角度は同様に前記内蔵ストッパーの回転範囲と同一或いは当該回転範囲内に設定する。
【００２９】
このように組み立てた後、中継シャフト２１の摘み取付部２３を前面パネル３Ａに形成した透孔３Ｂから前方に突出させた状態で、ボリューム固定板８の両端（この場合、図２よりも両端の前後寸法は拡張されている）を前面パネル３Ａの裏面に当接させ、取付孔８Ａ、８Ａにネジを通して固定する。その後、中継シャフト２１の摘み取付部２３先端には摘みＴを嵌合して取り付ける。このとき、大径部２２の前端面は前面パネル３Ａの裏面に摺動可能に接触する。
【００３０】
この場合の構造によっても、本体Ｍから突出するボリュームシャフトＳに中継シャフト２１を挿入すると共に、この中継シャフト２１を固定する固定ネジ１１を中継シャフト２１から外方に突出させ、その回転範囲内にはストッパー１２を設けたので、これら固定ネジ１１とストッパー１２との当接関係によってボリュームシャフトＳの回転範囲を規制することができる。従って、摘みＴが回され過ぎることによる本体Ｍの破壊などの不都合を有効に回避することが可能となり、耐久性を向上させることができるようになる。
【００３１】
また、ストッパー１２は大径部２２に摺動可能に接触しているので、これらストッパー１２と中継シャフト２１間の摩擦抵抗によって同様に摘みＴには適度な回転トルクが付与される。それによって、摘みＴの回し過ぎによる故障を一層有効に防止することができるようになると共に、調整を容易とし、且つ、使用感も向上させることができるようになる。
【００３２】
更に、前面パネル３Ａに大径部２２の前端面が摺動可能に接触しているので、前面パネル３Ａと中継シャフト２１間の摩擦抵抗によっても摘みＴには同様の回転トルクが付与される。それによって、摘みＴの回し過ぎによる故障をより一層有効に防止し、調整操作性と使用感を向上させることができるようになると共に、ボリュームシャフトＳが引き抜かれる不都合も有効に防止することができるようになる。
【００３３】
尚、実施例では製氷機に本発明を適用したが、それに限らず、ボリュームを取り付ける種々の機器に本発明は有効である。また、固定部材は実施例の固定ネジ１１に限らず、カラー９或いは中継シャフト２１に打ち込み嵌合されるピンにて構成しても良い。
【００３４】
【発明の効果】
以上詳述した如く請求項１の発明によれば、本体から突出するボリュームシャフトにカラーを挿入すると共に、このカラーを固定する固定部材をカラーから外方に突出させ、その回転範囲内にはストッパーを設けたので、これら固定部材とストッパーの当接関係によってボリュームシャフトの回転範囲を規制することができる。従って、摘みが回され過ぎることによる本体の破壊などの不都合を有効に回避することが可能となり、耐久性を向上させることができるようになるものである。
【００３５】
特に、ストッパーを、カラーに摺動可能に接触させたので、これらストッパーとカラー間の摩擦抵抗によって摘みに適度な回転トルクを付与することが可能となる。それによって、摘みの回し過ぎによる故障を一層有効に防止することができるようになると共に、調整を容易とし、且つ、使用感も向上させることができるようになるものである。
【００３６】
請求項２の発明によれば、本体から突出するボリュームシャフトに中継シャフトを挿入すると共に、この中継シャフトを固定する固定部材を中継シャフトから外方に突出させ、その回転範囲内にはストッパーを設けたので、これら固定部材とストッパーの当接関係によってボリュームシャフトの回転範囲を規制することができる。従って、摘みが回され過ぎることによる本体の破壊などの不都合を有効に回避することが可能となり、耐久性を向上させることができるようになるものである。
【００３７】
特に、ストッパーを、中継シャフトに摺動可能に接触させたので、これらストッパーと中継シャフト間の摩擦抵抗によって摘みに適度な回転トルクを付与することが可能となる。それによって、摘みの回し過ぎによる故障を一層有効に防止することができるようになると共に、調整を容易とし、且つ、使用感も向上させることができるようになるものである。
【図面の簡単な説明】
【図１】本発明を適用した実施例としての製氷機の斜視図である。
【図２】本発明の可変抵抗装置の斜視図である。
【図３】図２及び図５のＡ−Ａ線断面図である。
【図４】図２のＯ−Ｏ線断面図である。
【図５】もう一つの本発明の可変抵抗装置の斜視図である。
【図６】図５のＯ−Ｏ線断面図である。
【図７】従来のボリューム取付構造を説明する図である。
【符号の説明】
２  可変抵抗装置
８  ボリューム固定板
９  カラー
１１  固定ネジ（固定部材）
１２  ストッパー
２１  中継シャフト
Ｍ  本体
Ｓ  ボリュームシャフト
Ｔ  摘み
Ｖ  ボリューム
【図１】
0003619606.tif 000002
【図２】
0003619606.tif 000003
【図３】
0003619606.tif 000004
【図４】
0003619606.tif 000005
【図５】
0003619606.tif 000006
【図６】
0003619606.tif 000007
【図７】
0003619606.tif 000008